(57)【要約】【課題】  基板ボックスが不正に開封された場合には、目視では確認できない痕跡が残るパチンコ機などを提供することを目的とする。【解決手段】  ＲＯＭが実装された回路基板９０と、ボックス本体５１およびカバー体５２により回路基板９０を収納する基板ボックス５０と、を備えたパチンコ機１において、カバー体５２に形成され、第１の孔５４ａを有する第１の封止部５３と、ボックス本体５１に形成され、第１の孔５４ａに連なる第２の孔５７ａを有する第２の封止部５６と、磁気共鳴物質の粉末を表面に有する筒状形状で、第２の孔５７ａに配置されるカシメ部材１１０と、ボックス本体５１とカバー体５２とを締結するワンウェイネジ１２０と、を備えた。【選択図】図９
2008099933.tif 000002
【特許請求の範囲】
【請求項１】
遊技に関するプログラムが記憶されたＲＯＭと、前記ＲＯＭが実装された回路基板と、ボックス本体とカバー体を有し、該ボックス本体および該カバー体により前記回路基板を収納する基板ボックスと、を備えた遊技機において、
前記カバー体に形成され、第１の孔を有する第１の封止部と、
前記ボックス本体に形成され、前記第１の孔に連なる第２の孔を有する第２の封止部と、
磁気共鳴物質の粉末を表面に有する筒状形状で、前記第２の孔に配置されるカシメ部材と、
前記第１の孔から前記第２の孔に向けて挿入されて、前記カシメ部材を変形させることにより、前記第１の封止部と前記第２の封止部とをかしめて、前記ボックス本体と前記カバー体とを締結する締結具と、
を備えたことを特徴とする遊技機。
【請求項２】
遊技に関するプログラムが記憶されたＲＯＭと、前記ＲＯＭが実装された回路基板と、ボックス本体とカバー体を有し、該ボックス本体および該カバー体により前記回路基板を収納する基板ボックスと、を備えた遊技機において、
前記カバー体に形成され、第１の孔を有する第１の封止部と、
前記ボックス本体に形成され、前記第１の孔に連なる第２の孔を有する第２の封止部と、
磁気共鳴物質の粉末を表面に有する筒状形状で、前記第１の孔に配置されるカシメ部材と、
前記第２の孔から前記第１の孔に向けて挿入されて、前記カシメ部材を変形させることにより、前記第１の封止部と前記第２の封止部とをかしめて、前記ボックス本体と前記カバー体とを締結する締結具と、
を備えたことを特徴とする遊技機。
【請求項３】
遊技に関するプログラムが記憶されたＲＯＭと、前記ＲＯＭが実装された回路基板と、ボックス本体とカバー体を有し、該ボックス本体および該カバー体により前記回路基板を収納する基板ボックスと、を備えた遊技機において、
前記カバー体に形成され、第１の孔を有する第１の封止部と、
前記ボックス本体に形成され、前記第１の孔に連なる第２の穴を有する第２の封止部と、
磁気共鳴物質の粉末を表面に有する筒状形状で、前記第２の穴に配置されるカシメ部材と、
前記第１の孔から前記第２の穴に向けて挿入されて、前記カシメ部材を変形させることにより、前記第１の封止部と前記第２の封止部とをかしめて、前記ボックス本体と前記カバー体とを締結する締結具と、
を備えたことを特徴とする遊技機。
【請求項４】
遊技に関するプログラムが記憶されたＲＯＭと、前記ＲＯＭが実装された回路基板と、ボックス本体とカバー体を有し、該ボックス本体および該カバー体により前記回路基板を収納する基板ボックスと、を備えた遊技機において、
前記カバー体に形成され、第１の穴を有する第１の封止部と、
前記ボックス本体に形成され、前記第１の穴に連なる第２の孔を有する第２の封止部と、
磁気共鳴物質の粉末を表面に有する筒状形状で、前記第１の穴に配置されるカシメ部材と、
前記第２の孔から前記第１の穴に向けて挿入されて、前記カシメ部材を変形させることにより、前記第１の封止部と前記第２の封止部とをかしめて、前記ボックス本体と前記カバー体とを締結する締結具と、
を備えたことを特徴とする遊技機。
【発明の詳細な説明】
【技術分野】
【０００１】
本発明は、パチンコ機、スロットマシン、アレンジボール機、雀球機などの遊技機に関し、特に、回路基板を収容する基板ボックスを備えた遊技機に関する。
【背景技術】
【０００２】
遊技機では、基板ボックスの中に回路基板が収容されており、この回路基板上に、遊技に関するプログラムが記憶されたＲＯＭが実装されている。このような遊技機においては、回路基板に実装されているＲＯＭが、大当たりの回数や入賞時に払い出される玉の数が特定の遊技者が遊技をした場合にのみ正規の回数や玉数よりも多くなるように偽造されたＲＯＭに取り替えられるという不正行為などが問題とされている。このような問題に対処するため、従来は、基板ボックスが、切除痕などの痕跡を残さなければ開封できないように封止されていた（特許文献１参照）。
【特許文献１】特開２００１−３０００９１
【発明の開示】
【発明が解決しようとする課題】
【０００３】
しかしながら、最近は、開封の痕跡が目視では分からないように基板ボックスが開封され、ＲＯＭが取り替えられるという不正が増加している。
【０００４】
そこで、本発明は、上記事情に鑑み、基板ボックスが不正に開封された場合には、目視では確認できない痕跡が残る遊技機を提供することを目的とする。
【課題を解決するための手段】
【０００５】
上記課題を解決して上記目的を達成するために、本発明のうち第１の態様に係るものは、遊技に関するプログラムが記憶されたＲＯＭと、ＲＯＭが実装された回路基板と、ボックス本体とカバー体を有し、該ボックス本体および該カバー体により回路基板を収納する基板ボックスと、を備えた遊技機において、カバー体の端部に形成され、第１の孔を有する第１の封止部と、ボックス本体の端部に形成され、第１の封止部が有する第１の孔に連なる第２の孔を有する第２の封止部と、磁気共鳴物質の粉末を表面に有する筒状形状で、第２の封止部が有する第２の孔に配置されるカシメ部材と、第１の封止部が有する第１の孔から第２の封止部が有する第２の孔に向けて挿入されて、カシメ部材を変形させることにより、第１の封止部と第２の封止部とをかしめて、ボックス本体とカバー体とを締結する締結具と、を備えたことを特徴とする。
第１の態様によれば、何らかの方法によってカシメ部材が取り外され、目視では痕跡が分からないように基板ボックスが開封されたとしても、取り外されたカシメ部材は再利用できない。したがって、開封した基板ボックスを再封止するためには、新たなカシメ部材を使用せざるを得ないが、この不正者により取り付けられた新たなカシメ部材には、磁気共鳴物質の粉末が含まれていない。このようにして、第１の態様によれば、カシメ部材に、磁気共鳴物質が存在しないという目視では確認できない痕跡が残ることになる。
なお、第1の態様において、「第１の孔」は第１の封止部を貫通する孔であり、また、「第２の孔」は第２の封止部を貫通する孔である。
【０００６】
本発明のうち第２の態様に係るものは、遊技に関するプログラムが記憶されたＲＯＭと、ＲＯＭが実装された回路基板と、ボックス本体とカバー体を有し、該ボックス本体および該カバー体により回路基板を収納する基板ボックスと、を備えた遊技機において、カバー体の端部に形成され、第１の孔を有する第１の封止部と、ボックス本体の端部に形成され、第１の封止部が有する第１の孔に連なる第２の孔を有する第２の封止部と、磁気共鳴物質の粉末を表面に有する筒状形状で、第１の封止部が有する第１の孔に配置されるカシメ部材と、第２の封止部が有する第２の孔から第１の封止部が有する第１の孔に向けて挿入されて、カシメ部材を変形させることにより、第１の封止部と第２の封止部とをかしめて、ボックス本体とカバー体とを締結する締結具と、を備えたことを特徴とする。
第２の態様によれば、何らかの方法によってカシメ部材が取り外され、目視では痕跡が分からないように基板ボックスが開封されたとしても、取り外されたカシメ部材は再利用できない。したがって、開封した基板ボックスを再封止するためには、新たなカシメ部材を使用せざるを得ないが、この不正者により取り付けられた新たなカシメ部材には、磁気共鳴物質の粉末が含まれていない。このようにして、第２の態様によれば、カシメ部材に、磁気共鳴物質が存在しないという目視では確認できない痕跡が残ることになる。
なお、第２の態様において、「第１の孔」は第１の封止部を貫通する孔であり、また、「第２の孔」は第２の封止部を貫通する孔である。
【０００７】
本発明のうち第３の態様に係るものは、遊技に関するプログラムが記憶されたＲＯＭと、ＲＯＭが実装された回路基板と、ボックス本体とカバー体を有し、該ボックス本体および該カバー体により回路基板を収納する基板ボックスと、を備えた遊技機において、カバー体の端部に形成され、第１の孔を有する第１の封止部と、ボックス本体の端部に形成され、第１の封止部が有する第１の孔に連なる第２の穴を有する第２の封止部と、磁気共鳴物質の粉末を表面に有する筒状形状で、第２の封止部が有する第２の穴に配置されるカシメ部材と、第１の封止部が有する第１の孔から第２の封止部が有する第２の穴に向けて挿入されて、カシメ部材を変形させることにより、第１の封止部と前記第２の封止部とをかしめて、ボックス本体とカバー体とを締結する締結具と、を備えたことを特徴とする。
第３の態様によれば、何らかの方法によってカシメ部材が取り外され、目視では痕跡が分からないように基板ボックスが開封されたとしても、取り外されたカシメ部材は再利用できない。したがって、開封した基板ボックスを再封止するためには、新たなカシメ部材を使用せざるを得ないが、この不正者により取り付けられた新たなカシメ部材には、磁気共鳴物質の粉末が含まれていない。このようにして、第３の態様によれば、カシメ部材に、磁気共鳴物質が存在しないという目視では確認できない痕跡が残ることになる。
なお、第３の態様において、「第１の孔」は第１の封止部を貫通する孔であり、また、「第２の穴」は第２の封止部を貫通しない穴である。
【０００８】
本発明のうち第４の態様に係るものは、遊技に関するプログラムが記憶されたＲＯＭと、ＲＯＭが実装された回路基板と、ボックス本体とカバー体を有し、該ボックス本体および該カバー体により回路基板を収納する基板ボックスと、を備えた遊技機において、カバー体の端部に形成され、第１の穴を有する第１の封止部と、ボックス本体の端部に形成され、第１の封止部が有する第１の穴に連なる第２の孔を有する第２の封止部と、磁気共鳴物質の粉末を表面に有する筒状形状で、第１の封止部が有する第１の穴に配置されるカシメ部材と、第２の封止部が有する第２の孔から第１の封止部が有する第１の穴に向けて挿入されて、カシメ部材を変形させることにより、第１の封止部と第２の封止部とをかしめて、ボックス本体とカバー体とを締結する締結具と、を備えたことを特徴とする。
第４の態様によれば、何らかの方法によってカシメ部材が取り外され、目視では痕跡が分からないように基板ボックスが開封されたとしても、取り外されたカシメ部材は再利用できない。したがって、開封した基板ボックスを再封止するためには、新たなカシメ部材を使用せざるを得ないが、この不正者により取り付けられた新たなカシメ部材には、磁気共鳴物質の粉末が含まれていない。このようにして、第４の態様によれば、カシメ部材に、磁気共鳴物質が存在しないという目視では確認できない痕跡が残ることになる。
なお、第４の態様において、「第１の穴」は第１の封止部を貫通しない穴であり、また、「第２の孔」は第２の封止部を貫通する孔である。
【発明の効果】
【０００９】
本発明によれば、基板ボックスが不正に開封された場合には、磁気共鳴物質が存在しないという目視では確認できない痕跡がカシメ部材に残るので、磁気共鳴物質の磁気共鳴現象を利用して、不正な開封を検知できる。
【発明を実施するための最良の形態】
【００１０】
以下、本発明の実施の形態に係るパチンコ機について説明する。パチンコ機は、本発明に係る遊技機の一例である。
【００１１】
まず、図１、図２を参照しつつ、本実施の形態におけるパチンコ機の概略構成について説明する。図１は、本発明の一実施形態におけるパチンコ機の正面図であり、図２は、本発明の一実施形態におけるパチンコ機の前面枠および本体枠を開放した状態を示す斜視図である。
【００１２】
図１、図２に示すように、パチンコ機１は、外枠２、本体枠３、および前面枠５などの枠体と、遊技盤４とを備えている。
【００１３】
外枠２は、上下左右の枠材を矩形に組み合わせて構成されており、その前側下部に、本体枠３の下面を受けるための下受板６を具備している。外枠２の左側端は、ヒンジ機構７を介して、本体枠３の左側端に装着されており、本体枠３は、外枠２の手前側へ開閉可能とされている。
【００１４】
本体枠３は、前枠体８、遊技盤装着枠９、および機構装着枠１０を合成樹脂材によって一体成形することで構成されている。前枠体８は、本体枠３の前面側に位置して形成されており、外枠２に嵌め込まれる。前枠体８の後部には、遊技盤装着枠９が形成されており、この遊技盤装着枠９には、遊技盤４が前方から嵌め込まれる。
【００１５】
遊技盤４は、ヒンジ機構を介して、本体枠３より前面側へ開閉可能とされており、この開閉動作に伴って、遊技盤４が、本体枠３に対して着脱可能とされている（図示略）。遊技盤４の盤面（前面）には、環状に成形された案内レール１１が配設されており、この案内レール１１は、外レールと内レールとから構成されている。そして、遊技盤４の盤面には、案内レール１１の内側に、ほぼ円形状の遊技領域１２が区画して形成されている。なお、遊技領域１２内の構成については、後述する。
【００１６】
図２に示すように、前枠体８の下盤部８ａにおける左寄りの位置には、低音用スピーカ１４が設けられており、この低音用スピーカ１４は、装着板１３を介して、前枠体８に装着されている。また、前枠体８の下盤部８ａにおける中央から右寄りの位置には、発射レール１５が設けられており、この発射レール１５は、遊技盤４の発射通路に向けて遊技球を誘導する。そして、前枠体８には、発射レール１５や低音用スピーカ１４よりも下方の位置に、下前面部材１６が装着されている。この下前面部材１６のほぼ中央位置には、下皿１７が形成されており、さらにその右寄り位置には、発射ハンドル１８が設けられている。
【００１７】
図２に示すように、本体枠３（前枠体８）の裏面側には、ヒンジ機構７とは反対側（右寄り）の位置に、施錠装置１９が装着されている。この施錠装置１９は、外枠２に対して本体枠３全体を施錠したり、あるいは、本体枠３に対して前面枠５を施錠したりする機能を備えている。施錠装置１９は、２種類の枠施錠ラッチ２１および扉施錠ラッチ２３を有しており、このうち一方の枠施錠ラッチ２１は、外枠２の閉止具２０に対応して設けられている。たとえば、図２に示されている状態から本体枠３を外枠２に対して押し込むと、上下で２つの枠施錠ラッチ２１がそれぞれ対応する閉止具２０に係合し、これにより本体枠３が外枠２に施錠した状態で固定される。
【００１８】
他方の扉施錠ラッチ２３は、前面枠５の後面に設けられた閉止具２２に対応して設けられており、たとえば、図２に示されている状態から前面枠５を本体枠３に対して押し込むと、上下で３つの扉施錠ラッチ２３がそれぞれ対応する閉止具２２に係合し、これにより前面枠５が本体枠３に施錠した状態で固定される。
【００１９】
施錠装置１９は、シリンダー錠２４を有しており、本体枠３および前面枠５が閉止された状態で、たとえば、ホールの管理者や従業員などがシリンダー錠２４の鍵穴に所定の鍵を挿入して一方向に回すと、枠施錠ラッチ２１と外枠２の閉止具２０との係合が解除されて本体枠３が解錠される。また、これとは逆方向に鍵を回すと、扉施錠ラッチ２３と前面枠５の閉止具２２との係合が解除されて前面枠５が解錠されるようになっている。なお、シリンダー錠２４の前端部は、パチンコ機１の前方から鍵を挿入して解錠操作が行えるように、前枠体８および下前面部材１６を貫通して、下前面部材１６の前面に露出するようにして配置されている。
【００２０】
前面枠５は、ガラス枠やガラス扉とも称され、この前面枠５は、その左側端が、ヒンジ機構２５を介して、本体枠３の左側端に装着されており、本体枠３の前面側に開閉可能とされている。前面枠５は、その前側に、サイド装飾装置２７や上皿２８や音響電飾装置２９が装着されており、その裏側に、扉本体フレーム２６が装着されている。
【００２１】
扉本体フレーム２６は、プレス加工された金属製フレームであり、前枠体８の上端から下前面部材１６の上縁に亘る部分を覆う大きさに形成されている。前面枠５を閉止すると、遊技盤４を含む前枠体８の前面側が前面枠５によって覆われることとなるが、扉本体フレーム２６の中央には、ほぼ円形の開口窓３０が形成されており、この開口窓３０を通じて、遊技盤４の遊技領域１２を前方から視認することができる。また、扉本体フレーム２６の後側には、開口窓３０よりも大きい矩形枠状をなす窓枠３１が設けられており、この窓枠３１には、透明なガラス板３２が前後に２重をなして装着されている。
【００２２】
図１に示すように、前面枠５には、開口窓３０の周囲において、左右両側部にサイド装飾装置２７が配設されているほか、その下部に、上皿２８が配設されており、その上部に、音響電飾装置２９が配設されている。これらサイド装飾装置２７や音響電飾装置２９や上皿２８などは、全体として前面枠５の外形を構成するべく一体をなし、相互に外観上の一体感を想起させるデザインが施されている。
【００２３】
サイド装飾装置２７は、ランプ基板を内蔵したサイド装飾体３３を主体として構成されており、サイド装飾体３３は、開口窓３０の左右で一対をなしている。サイド装飾体３３には、横方向に長いスリット状の開口孔が上下方向に複数配列されており、個々の開口孔には、ランプ基板に配置された光源（たとえばＬＥＤ）に対応するレンズ３４が組み込まれている。
【００２４】
また、音響電飾装置２９は、透明カバー体３５、スピーカ３６、スピーカカバー３７、リフレクタ体（図示略）などを備えており、これらの構成部材が相互に組み付けられた状態でユニット化されている。
【００２５】
つぎに、図３を参照しつつ、遊技領域１２内の構成について説明する。図３は、本発明の一実施形態における遊技盤の分解斜視図である。
【００２６】
上述したように、遊技盤４の前面（盤面）には、遊技領域１２が形成されている。この遊技領域１２内で、遊技球が流下する。パチンコ機１における遊技は、遊技領域１２内で遊技球が各種入賞口（図示されていない）に入賞することで、利益付与抽選（大当り抽選）が行われたり、あるいは賞球の払い出しが行われたりしながら進行されるが、この遊技を演出するために、遊技盤４には、演出装置が設けられている。
【００２７】
図３に示すように、演出装置は、遊技板４ａを挟んで前後に分割された２つのユニット（フロントユニット４０、リアユニット４２）から構成される。フロントユニット４０は、遊技板４ａに対してその前面側から取り付けられ、遊技板４ａの前面側に位置している。また、リアユニット４２は、遊技板４ａに対してその背面側から取り付けられ、遊技板４ａの背面側に位置している。フロントユニット４０は、その外表面に施された造形・装飾から一定の視覚的な効果・インパクトを遊技者に対して与える役割を果たす。また、このようなフロントユニット４０の造形・装飾は、遊技板４ａの前面に貼付された化粧シート（セル板）のデザインと相まって、パチンコ機１の機種やゲームコンセプトを遊技者に明確に認識させる効果を奏する。
【００２８】
遊技板４ａには、その合板材を厚み方向に刳り抜いた貫通孔４４が形成されている。この貫通孔４４は、遊技領域１２の中央からやや上よりの範囲にかけて大きく開口している。
【００２９】
フロントユニット４０は、その前後方向でみると、遊技板４ａに対向する後半分の部位（挿入合体部）が貫通孔４４内にすっぽり填り込む形状に成形されており、その後半分の部位を貫通孔４４内に嵌め込んだ状態で、遊技板４ａに取り付けられるものとされている。フロントユニット４０の後半分の部位は、その前後方向でみた厚みが遊技板４ａの厚みとほぼ同じに設定されている。このため、フロントユニット４０が遊技板４ａに取り付けられると、その後半分の部位の表面は、遊技板４ａの背面と同一平面上に揃えられる（いわゆる面一の状態）。
【００３０】
さらに、フロントユニット４０には、後半分の部位から後方に向けて突出するボス４０ａが形成されている（挿入合体部）。ボス４０ａは、フロントユニット４０の上部位置に１本、下部位置に２本（図３には１本のみ示されている）の合計３本が形成されており、いずれも貫通孔４４を通じて遊技板４ａの前面側から挿入され、遊技板４ａの背面からさらに後方に突出する。
【００３１】
一方、フロントユニット４０は、遊技板４ａに取り付けられた状態で、その前半分の部位が遊技板４ａの前面側に突出する。この前半分の部位は、その厚みが、たとえば案内レール１１やパネル飾りなど（参照符号略）とほぼ同じに設定されている。このため、フロントユニット４０は遊技板４ａに取り付けられると、その前半分の部位が、遊技領域１２内で盤面から手前に突出し、遊技球の流下を誘導・案内する存在となる。
【００３２】
リアユニット４２は、遊技板４ａの背面に対向する前面がほとんどフラットな形状に成形されており、このフラットな前面を取付面４２ａとして、遊技板４ａに取り付けられる。リアユニット４２が遊技板４ａに取り付けられると、上記の取付面４２ａは、遊技板４ａの背面に密着する（ただし製造誤差や歪みによる隙間は許容される。）。
【００３３】
また、取付面４２ａは、上記の貫通孔４４には嵌め込まれないものの、その一部は貫通孔４４に対向する位置関係にある。すなわち、リアユニット４２が遊技板４ａに取り付けられると、その取付面４２ａは、部分的に貫通孔４４の内側に張り出し、貫通孔４４を通じて遊技板４ａの前面側に露出される。ただし、この露出する部分は、フロントユニット４０に覆い隠されるため、遊技者からは直接的に視認されない。
【００３４】
リアユニット４２には、フロントユニット４０のボス４０ａに対応して３箇所にボス孔４２ｂが形成されており、フロントユニット４０およびリアユニット４２が遊技板４ａに対して前後から取り付けられると、３本のボス４０ａは、貫通孔４４を通じてリアユニット４２にまで達し、それぞれ対応するボス孔４２ｂに差し込まれる。またこの状態で、フロントユニット４０およびリアユニット４２は、相互に位置決めされる。
【００３５】
遊技盤４には、さらに、リアユニット４２の背後から表示ユニットが取り付けられるものとなっている（図示略）。表示ユニットは、たとえば液晶表示器と表示制御基板とを一体化したユニットとして構成されており、その画面上で演出的な画像を表示する役割を担う。遊技盤４の完成状態で、表示ユニットの画面は、上記の貫通孔４４を通じて前面側から視認することができる。
【００３６】
つぎに、図４を参照しつつ、パチンコ機１の背面について説明する。図４は、本発明の一実施形態におけるパチンコ機１の背面図である。
【００３７】
図４に示すように、パチンコ機１には、その背面に、遊技全体を制御する主回路基板が収容された主制御基板ボックス５０と、主回路基板からの信号に基づいて音声ないしランプを駆動制御する副制御基板が収容された副制御基板ボックス６０と、払出装置制御用の払出制御基板が収容された払出制御基板ボックス７０と、表示ユニットを構成する表示制御基板が収容された表示制御基板ボックス（図示略）と、電源基板が収容された電源基板ボックス（図示略）とが備えられている。
【００３８】
図４に示すように、副制御基板ボックス６０は、主制御基板ボックス５０の前方に配置されている。また、表示制御基板ボックスは、裏カバー８０によって覆われる領域に配置されている（図示略）。また、電源基板ボックスは、払出制御基板ボックス７０の前方に配置されている（図示略）。なお、主制御基板ボックス５０、副制御基板ボックス６０、払出制御基板ボックス７０、表示制御基板ボックス、および電源基板ボックスは、本発明における「基板ボックス」の一例として示したものである。
【００３９】
以下では、主制御基板ボックス５０を例に挙げて、基板ボックスの構成について説明する。主制御基板ボックス５０（以下、「基板ボックス５０」と略す。）には、回路基板９０が収納されており、この回路基板９０には、ＣＰＵやＲＡＭやＲＯＭなどの電子部品１００が実装されている。ＲＯＭには、遊技に関するプログラムが記憶されており、このプログラムがＣＰＵによって実行されることにより、パチンコ機１における遊技が制御される。
【００４０】
つぎに、図５〜図７を参照しつつ、基板ボックス５０の構成を詳細に説明する。図５は、本発明の一実施形態における基板ボックスの斜視図、図６は、本発明の一実施形態における基板ボックスの分解斜視図、図７は、本発明の一実施形態における基板ボックスの平面図である。
【００４１】
図５〜図７に示すように、基板ボックス５０は、ボックス本体５１と、このボックス本体５１に組み合わされるカバー体５２とを具備している。ボックス本体５１には、回路基板９０が、ビスなどによって固定される。回路基板９０は、ボックス本体５１とカバー体５２とが組み合わされた際に、カバー体５２によって覆われ、基板ボックス５０内に収納される。
【００４２】
基板ボックス５０には、カバー体５２およびボックス本体５１を貫通する４つの孔が設けられている。これら４つの孔は、カバー体５２に設けられた４つの孔５４ａ、５４ｂ、５４ｃ、５４ｄとボックス本体５１に設けられた４つの孔５７ａ、５７ｂ、５７ｃ、５７ｄとがそれぞれ連なって、基板ボックス５０の端部に４つの孔を形成することにより構成される。
【００４３】
これら４つの孔のうち、第１の孔５４ａと第２の孔５７ａとが連なって形成される孔に、カシメ部材１１０と、締結具の一例であるワンウェイネジ１２０とが挿入されて、カバー体５２とボックス本体５１とが締結されることにより、基板ボックス５０は封止される。４つの孔のうちの残りの３つの孔は、封止された基板ボックス５０を開封して再封止する際に、使用される。すなわち、第１の孔５４ａと第２の孔５７ａとが連なって形成される孔を用いて基板ボックス５０が封止された後（１回目の封止）、この封止された基板ボックス５０が開封されて再封止される場合には、第１の孔５４ｂと第２の孔５７ｂとが連なって形成される孔を用いて基板ボックス５０が封止される（２回目の封止）。その後、基板ボックス５０が再び開封されて再封止される場合には、第１の孔５４ｃと第２の孔５７ｃとが連なって形成される孔を用いて基板ボックス５０が封止される（３回目の封止）。そして、基板ボックス５０が再び開封されて再封止される場合には、第１の孔５４ｄと第２の孔５７ｄとが連なって形成される孔を用いて基板ボックス５０が封止される（４回目の封止）。
【００４４】
本実施形態では、カバー体５２において４つの孔５４ａ、５４ｂ、５４ｃ、５４ｄが設けられている部位を第１の封止部５３と称し、ボックス本体５１において４つの孔５７ａ、５７ｂ、５７ｃ、５７ｄが設けられている部位を第２の封止部５６と称する。
【００４５】
４つの孔５４ａ、５４ｂ、５４ｃ、５４ｄが設けられている第１の封止部５３は、カバー体５２の端部における部位である。個々の第１の孔５４ａ、５４ｂ、５４ｃ、５４ｄは、第１の封止部５３を貫通している。また、個々の第１の孔５４ａ、５４ｂ、５４ｃ、５４ｄは、その断面が角形状とされており、その内壁に係止溝５５が形成されている。
【００４６】
４つの孔５７ａ、５７ｂ、５７ｃ、５７ｄが設けられている第２の封止部５６は、ボックス本体５１の端部における部位である。個々の第２の孔５７ａ、５７ｂ、５７ｃ、５７ｄは、第２の封止部５６を貫通している。また、４つの第２の孔５７ａ、５７ｂ、５７ｃ、５７ｄは、ボックス本体５１とカバー体５２とが組み合わされた際に、カバー体５２の端部に形成された第１の封止部５３が有する４つの第２の孔５４ａ、５４ｂ、５４ｃ、５４ｄにそれぞれ連なる。また、第２の封止部５６が有する第２の孔５７ａ、５７ｂ、５７ｃ、５７ｄは、その断面が円形状である。
【００４７】
本実施の形態においては、以上説明した第１の封止部５３が有する第１の孔５４ａ、５４ｂ、５４ｃ、５４ｄと第２の封止部５６が有する第２の孔５７ａ、５７ｂ、５７ｃ、５７ｄとに、カシメ部材１１０、１１１、１１２、１１３とワンウェイネジ１２０、１２１、１２２、１２３とがそれぞれ挿入され、第１の封止部５３と第２の封止部５６とがかしめられて、ボックス本体５１とカバー体５２とが締結される。
【００４８】
つぎに、図８、図９を参照しつつ、第１の孔５４ａと第２の孔５７ａとを例に挙げて、第１の封止部５３と第２の封止部５６とがかしめられる構造を説明する。なお、第１の孔５４ｂ、５４ｃ、５４ｄと第２の孔５７ｂ、５７ｃ、５７ｄを用いて第１の封止部５３と第２の封止部５６とがかしめられる場合も、第１の孔５４ａと第２の孔５７ａを用いて第１の封止部５３と第２の封止部５６とがかしめられる場合と同様であるので、説明は省略する。図８は、図５におけるＡ−Ａのかしめ前の断面図であり、図９は、図５におけるＡ−Ａのかしめ後の断面図である。
【００４９】
図８、図９に示されているように、ボックス本体５１とカバー体５２とが組み合わされると、カバー体５２に形成された第１の封止部５３が有する第１の孔５４ａと、ボックス本体５１に形成された第２の封止部５６が有する第２の孔５７ａとが連なり、第１の孔５４ａと第２の孔５７ａとによって１つの孔が形成される。この状態で、カシメ部材１１０が、第１の封止部５３が有する第１の孔５４ａから第２の封止部５６が有する第２の孔５７ａに向けて挿入される。後述するように、カシメ部材１１０は、筒部１１０ａとフランジ部１１０ｂとを有しているところ、このフランジ部１１０ｂの形状は、断面が角形状である第１の孔５４ａに対応して、角形状とされている。これにより、カシメ部材１１０は、第１の孔５４ａに挿入された後、まわり止めされる。
ワンウェイネジ１２０は、第１の封止部５３が有する第１の孔５４ａから第２の封止部５６が有する第２の孔５７ａに向けて挿入され、カシメ部材１１０を変形させる。これにより、第１の封止部５３と第２の封止部５６とがかしめられ、ボックス本体５１とカバー体５２とが締結される。
【００５０】
カシメ部材１１０は、筒部１１０ａとフランジ部１１０ｂとを具備する筒状の部材である。図８に示すように、カシメ部材１１０の筒部１１０ａには、スリット１１０ｃ（たとえば４分割）が形成されている。また、カシメ部材１１０の筒部１１０ａは、その内壁が先細のテーパ状とされており、先端にいくほど内径が小さくなる。このため、カシメ部材１１０の筒部１１０ａは、これにワンウェイネジ１２０がねじ込まれると、スリット１１０ｃから切り割れて、径方向に拡開するものとなっている。
上述したように、フランジ部１１０ｂの形状は、断面が角形状である第１の孔５４ａに対応して、角形状とされており、これにより、カシメ部材１１０は、第１の孔５４ａに挿入された後、まわり止めされる。
このカシメ部材１１０は、そのフランジ部１１０ｂが、第１の封止部５３が有する第１の孔５４ａの最も奥に形成された底面５８に突き当たるまで、第１の孔５４ａに押し込まれる。このとき、図９に示すように、カシメ部材１１０の筒部１１０ａは、底面５８を超えて、ボックス本体５１に形成された第２の封止部５６が有する第２の孔５７ａの内部まで挿入される。
【００５１】
カシメ部材１１０は、磁気共鳴物質の粉末を含有する合成樹脂成形品から構成され、少なくとも表面に磁気共鳴物質を有している。ここで、磁気共鳴物質とは、物質ごとに固有の周波数を持ち、この固有の周波数を有する電磁波が照射された場合にのみ、磁気共鳴現象（照射された固有の周波数を有する電磁波を吸収・放出する現象）を示す物質である。物質ごとに固有の周波数を有しているので、ある磁気共鳴物質は、該磁気共鳴物質が持つ固有の周波数を有する電磁波を照射された場合には、該照射された電磁波を吸収・放出する磁気共鳴現象を示すが、該固有の周波数以外の周波数を有する電磁波を照射されても、該照射された電磁波を吸収・放出する磁気共鳴現象が示さない。
【００５２】
ボックス本体５１に形成された第２の封止部５６が有する第２の孔５７ａは、断面が円形状をなしており、その内径がワンウェイネジ１２０の挿入方向において奥に行くほど大きくなる、段付き穴形状（本実施形態では３段）に形成されている。カシメ部材１１０にワンウェイネジ１２０が挿入されて、筒部１１０ａがスリット１１０ｃから切り割れ拡開されると、筒部１１０ａの外面が第２の孔５７ａの段付き部分の内壁に当接する。これにより、切り割れて拡開している筒部１１０ａが、第２の孔５７ａの段付き部分の内壁に引っ掛かり、カシメ部材１１０は、これを第２の封止部５６が有する第２の孔５７ａから第１の封止部５３側に向けて取り外すことができなくなる。カシメ部材１１０を変形させた後は、フランジ部１１０ｂが第１の封止部５３が有する第１の孔５４ａの最も奥に形成された底面５８に引っ掛かり、また、切り割れて拡開している筒部１１０ａが第２の孔５７ａの段付き部分の内壁に引っ掛かる。ワンウェイネジ１２０は、ねじ込み方向の反対方向に回転させることが困難であるため、これを第１の孔５４ａから取り外すことは困難である。このため、ワンウェイネジ１２０は、カシメ部材１１０の筒部１１０ａに挿入されたままとなる。したがって、カシメ部材１１０の筒部１１０ａは、スリット１１０ｃから切り割れて拡開した状態で維持される。これにより、カバー体５２に形成された第１の封止部５３とボックス本体５１に形成された第２の封止部５６とがかしめられ、ボックス本体５１とカバー体５２とを分離させることができなくなる。これによりボックス本体５１とカバー体５２とが締結され、基板ボックス５０が封止される。
【００５３】
上述のようにして、基板ボックス５０が封止された後、さらに、カバー体５２に形成された第１の封止部５３が有する第１の孔５４ａに、キャップ１４０が挿入される。このキャップ１４０によって、カバー体５２に形成された第１の封止部５３が有する第１の孔５４ａが封鎖され、この第１の孔５４ａからワンウェイネジ１２０を取り出せなくなる。
【００５４】
つぎに、キャップ１４０について詳細に説明する。図８、図９に示すように、キャップ１４０は、本体部分１４０ａと、この本体部分１４０ａにおける一組の対辺に形成された一対の係止爪１４０ｂとを具備している。キャップ１４０の本体部分１４０ａは、第１の封止部５３が有する第１の孔５４ａの形状に対応して、断面が角型の形状をしており、その一辺の長さが、第１の孔５４ａの内径Ｈよりも僅かに小さい。
【００５５】
一対の係止爪１４０ｂは、先端にいくに従って拡開されている。また、一対の係止爪１４０ｂにおける一方の先端と他方の先端との間隔Ｄは、第１の封止部５３が有する第１の孔５４ａの内径Ｈよりも僅かに大きく設定されている（Ｄ＞Ｈ）。このため、この一対の係止爪１４０ｂは、カバー体５２に形成された第１の封止部５３が有する第１の孔５４ａに本体部分１４０ａが挿入されると、第１の孔５４ａの内壁によって、互いに近接する方向（幅Ｄを狭める方向）に僅かに弾性変形する。
【００５６】
一対の係止爪１４０ｂは、第１の封止部５３が有する第１の孔５４ａに形成された係止溝５５に達すると、弾性変形前の状態、すなわち、第１の孔５４ａに挿入される前の状態に戻り、係止溝５５に係合される。これにより、キャップ１４０は、第１の封止部５３が有する第１の孔５４ａに係止され、第１の孔５４ａから取り外すことができなくなる。第１の封止部５３が有する第１の孔５４ａは、キャップ１４０の本体部分１４０ａによって封鎖されるため、ワンウェイネジ１２０は、キャップ１４０が破壊されない限り、第１の封止部５３が有する第１の孔５４ａから取り外すことができない。
【００５７】
次に、基板ボックス５０を開封する方法について説明する（図５参照）。基板ボックス５０は、正規のＲＯＭが、偽造されたプログラムを記憶するＲＯＭに取り替えられていないかの検査に際して、開封される。基板ボックス５０を開放する際には、まず、第１の封止部５３に形成されている三角形状の突起５９がニッパーなどの工具で切除される。この三角形状の突起５９が切除されると、カバー体５２に開口が形成される。つぎに、この開口にニッパーなどの工具が挿入され、図５に示す切断線ＣＬ１、ＣＬ２に沿ってカバー体５２が切断される。これにより、ボックス本体５１とカバー体５２とが分離可能とされる。なお、カシメ部材１１０、ワンウェイネジ１２０、およびキャップ１４０は、第１の封止部５３および第２の封止部５６に取り付けられた状態で維持される。
【００５８】
上記のようにして基板ボックス５０が開封されると、カシメ部材１１０とワンウェイネジ１２０とを取り付けられたカバー体５２の部位が、回路基板９０を覆うカバー体５２の部位から分離されるので、この分離された部位を用いて、回路基板９０を覆うカバー体５２の部位とボックス本体５１とをかしめて、基板ボックス５０を再封止することはできない。そこで、開封された基板ボックス５０を再封止する場合には、第１の封止部５３が有する第１の孔５４ｂにワンウェイネジ１２１を挿入し、このワンウェイネジ１２１を、カシメ部材１１１が配置された第２の封止部５６が有する第２の孔５７ｂにまでねじ込み、ボックス本体５１とカバー体５２とを締結する。そして、ワンウェイネジ１２１が挿入された第１の孔５４ｂにキャップ１４１を挿入し、この第１の孔５４ｂを封鎖する。
【００５９】
上述したように、本実施の形態に係るパチンコ機１においては、回路基板９０に実装されているＲＯＭが、偽造されたプログラムを記憶するＲＯＭに取り替えられないように、基板ボックス５０が、これを開封できないようにかしめられている。このようにしてかしめられた基板ボックス５０を開封すると、基板ボックス５０に痕跡が残るため、基板ボックス５０の開封を目視で検知することができる。
しかしながら、上記のようにして、基板ボックス５０を開封できないようにかしめた場合は、次のような問題があった。すなわち、検査に際して、かしめた部分を破壊して基板ボックス５０を一度開封してしまうと、かしめた部分が破壊されてしまっているので、基板ボックス５０を再びかしめて封止し、使用することができなくなってしまうという問題である。
そこで、本実施の形態では、基板ボックス５０を封止する第１の封止部５３と第２の封止部５６とにそれぞれ４つの孔を設け、基板ボックス５０は、これを開封しても、３回までは再封止することができるようにした。
ところで、上述したような基板ボックス５０を開封する検査は、実際上、ほとんど行われない。したがって、実際上は、基板ボックス５０に痕跡があれば、この痕跡が検査による開封に基づくものか不正な開封に基づくものか検討するまでもなく、直ちに、不正な開封に基づくものであると判断することができる。
よって、実際上は、基板ボックス５０に痕跡があれば、基板ボックス５０の不正な開封を検知できるのであるが、最近は、ＲＯＭが交換されても、基板ボックス５０に痕跡が残らないような不正が行われている。
そこで、実施の形態に係るパチンコ機１では、カシメ部材１１０、１１１、１１２、１１３に、磁気共鳴物質の粉末を含有させることとした。このカシメ部材１１０、１１１、１１２、１１３は、一度使用すると、径方向に拡開してしまい再利用することができないので、基板ボックス５０を不正に開封した後の再封止に利用することができない。すなわち、たとえば、カシメ部材１１０を用いて封止された基板ボックス５０が開封された場合、この開封された基板ボックス５０の再封止に、当該カシメ部材１１０を再び利用することはできない。したがって、基板ボックス５０を再封止するためには、新たなカシメ部材を用いなければならないが、不正者により配置された新たなカシメ部材は、磁気共鳴物質の粉末を含有していない。したがって、新たなカシメ部材からは、プローブタイプなどの電磁波照射検出器から電磁波を照射しても、磁気共鳴現象を検出することができない。このように、本実施の形態に係るパチンコ機１によれば、交換せざるを得ないカシメ部材１１０、１１１、１１２、１１３が磁気共鳴物質の粉末を含有することとなるため、開封の痕跡が目視では分からないように基板ボックス５０が開封された場合であっても、目視では確認できない痕跡がカシメ部材に残る。よって、本実施の形態に係るパチンコ機１によれば、磁気共鳴現象を利用して、基板ボックス５０の不正な開封を検知することができる。
【００６０】
また、磁気共鳴物質の粉末を合成樹脂材料に混練させて成形してカシメ部材とすれば、カシメ部材において、磁気共鳴物質の粉末が均一に存在することとなり、カシメ部材１１０の表面に磁気共鳴物質の粉末を容易に存在させることができる。
【００６１】
上述したカシメ部材１１０、１１１、１１２、１１３の表面に存する磁気共鳴物質の種類は、特に限定されるものではなく、無線周波数を有する電磁波を照射した場合に、たとえば、磁気共鳴（ＮＭＲ）、電子四重極共鳴（ＮＱＲ）、電子スピン共鳴（ＥＳＲ）、強磁性共鳴（ＦＲ）、フェリ磁性共鳴（ＦＥＲ）、反フェリ磁性共鳴（ＡＦＥＲ）、磁区壁共鳴（ＤＷＲ）、スピン波共鳴（ＳＷＲ）を示す物質などを用いることができる。
【００６２】
なお、カシメ部材１１０、１１１、１１２、１１３の表面に存する磁気共鳴物質としては、特に、零磁場（０．５ｍＴ以下の磁場）または非常に弱い磁場において特定の周波数を有する電磁波を照射した場合に磁気共鳴現象を示す物質、たとえば、（１）零磁場（０．５ｍＴ以下の磁場）において核磁気共鳴現象を示す強磁性体、零磁場（０．５ｍＴ以下の磁場）において核磁気共鳴現象を示す反強磁性体、零磁場（０．５ｍＴ以下の磁場）において核磁気共鳴現象を示すフェリ磁性体、（２）零磁場（０．５ｍＴ以下の磁場）において核四極子共鳴現象を示す物質、（３）非常に弱い磁場において電子スピン共鳴現象を示す物質、（４）零磁場（０．５ｍＴ以下の磁場）において電気／磁気双極子またはスタークーゼーマンサブレベル間のトンネル遷移に起因する共鳴現象を示す物質を用いることが好ましい。
【００６３】
このように、上述した零磁場（０．５ｍＴ以下の磁場）または非常に弱い磁場において特定の周波数を有する電磁波を照射した場合に磁気共鳴現象を示す物質によれば、磁気共鳴現象を検知するに際して磁気共鳴物質に外部磁界をかける必要がないため、検知装置に外部磁界を発生させる磁石やコイルなどを設ける必要がなく、検知装置を小型化することができる。これにより、非常に多くの部品が入り組んで配置されたパチンコ機においても、カシメ部材１１０、１１１、１１２、１１３に電磁波を的確に照射でき、また、カシメ部材１１０、１１１、１１２、１１３からの磁気共鳴現象を的確に検出できる。
【００６４】
零磁場（０．５ｍＴ以下の磁場）または非常に弱い磁場において特定の周波数を有する電磁波を照射した場合に磁気共鳴現象を示す物質としては、上述したように、（１）零磁場（０．５ｍＴ以下の磁場）において核磁気共鳴現象を示す強磁性体、零磁場（０．５ｍＴ以下の磁場）において核磁気共鳴現象を示す反強磁性体、零磁場（０．５ｍＴ以下の磁場）において核磁気共鳴現象を示すフェリ磁性体、（２）零磁場（０．５ｍＴ以下の磁場）において核四極子共鳴現象を示す物質、（３）非常に弱い磁場において電子スピン共鳴現象を示す物質、（４）零磁場（０．５ｍＴ以下の磁場）において電気／磁気双極子またはスタークーゼーマンサブレベル間のトンネル遷移に起因する共鳴現象を示す物質が、一例として挙げられる。これらの物質について具体的な物質名を挙げると以下のようになる。
【００６５】
（１）  零磁場（０．５ｍＴ以下の磁場）において核磁気共鳴現象を示す強磁性体、零磁場（０．５ｍＴ以下の磁場）において核磁気共鳴現象を示す反強磁性体、零磁場（０．５ｍＴ以下の磁場）において核磁気共鳴現象を示すフェリ磁性体としては、たとえば、磁気的に配向した金属、合金、配位化合物または有機化合物に含まれる５５Ｍｎ、５７Ｆｅ、５９Ｃｏなどがある。
【００６６】
（２）  零磁場（０．５ｍＴ以下の磁場）において核四極子共鳴現象を示す物質としては、１１Ｂ、３５Ｃ１、７５Ａｓ、７９Ｂｒ、８１Ｂｒ、１２７Ｉなどがある。
【００６７】
（３）  非常に弱い磁場において電子スピン共鳴現象を示す物質としては、イオンラジカル塩、リチウムフタロシアニンまたはガンマ線照射融解石英などがある。
【００６８】
（４）  零磁場（０．５ｍＴ以下の磁場）において電気／磁気双極子またはスタークーゼーマンサブレベル間のトンネル遷移に起因する共鳴現象を示す物質としては、混合原子価またはヤーン−テラー結晶を持つラージクラスの配位化合物などがある。
【００６９】
今回開示された実施の形態はすべての点で例示であって制限的なものではないと考えられるべきである。本発明の範囲は上述した説明ではなくて特許請求の範囲によって示され、特許請求の範囲と均等の意味及び範囲内でのすべての変更が含まれることが意図される。
【００７０】
以下、本発明の変形例について説明する。
【００７１】
（１）  本実施形態では、カシメ部材１１０、１１１、１１２、１１３を、第２の封止部５６が有する第２の孔５７ａ、５７ｂ、５７ｃ、５７ｄにそれぞれ配置したが、これらカシメ部材１１０、１１１、１１２、１１３は、接着剤を用いて、第２の封止部５６が有する第２の孔５７ａ、５７ｂ、５７ｃ、５７ｄにそれぞれ固着して配置してもよい（図１０参照）。このようにすれば、特に、カシメ部材１１１、１１２、１１３は、第２の封止部が有する第２の孔５７ｂ、５７ｃ、５７ｄに固着されるので、第２の封止部が有する第２の孔５７ｂ、５７ｃ、５７ｄから取り外せなくなる。これにより、カシメ部材１１０が取り外された第２の孔５７ａにカシメ部材１１１、１１２、１１３を配置することができず、カシメ部材１１０と同種のカシメ部材１１１、１１２、１１３が第２の封止部が有する第２の孔５７ａに配置されることにより、基板ボックス５０が開封されたことを検知できなくなるということもなくなる。
（２）  本実施の形態では、カシメ部材１１０、１１１、１１２、１１３を構成する合成樹脂成形品に磁気共鳴物質の粉末を含有させることにより、カシメ部材１１０、１１１、１１２、１１３の表面に磁気共鳴物質の粉末を存在させたが、これに限らず、カシメ部材１１０、１１１、１１２、１１３と第２の封止部５６が有する第２の孔５７ａ、５７ｂ、５７ｃ、５７ｄとをそれぞれ接着剤１３０で固着し、この接着剤１３０に、磁気共鳴物質の粉末を含有させてもよい（図１０参照）。このようにしても、カシメ部材１１０、１１１、１１２、１１３の表面に、磁気共鳴物質の粉末を存在させることができる。そして、基板ボックス５０が何らかの理由により開封されれば、磁気共鳴物質の粉末を含有する接着剤１３０も同時に剥れてしまうので、その磁気共鳴物質の粉末が、再封止された基板ボックス５０に存在するということもない。また、剥がれた接着剤１３０は、すでに硬化しているため、これを用いて、カシメ部材１１０、１１１、１１２、１１３と第２の封止部５６を有する第２の孔５７ａ、５７ｂ、５７ｃ、５７ｄとを再度固着することはできない。このため、カシメ部材１１０、１１１、１１２、１１３と第２の封止部を有する第２の孔５７ａ、５７ｂ、５７ｃ、５７ｄとを再度固着するためには、新たな接着剤１３０を使用せざるを得ないが、この新しい接着剤には、磁気共鳴物質の粉末が混在していない。これにより、カシメ部材１１０、１１１、１１２、１１３が磁気共鳴物質の粉末を含んでいるかを検出することによって、基板ボックス５０の開封を検知することが可能となる。このようにしても、本実施形態と同様、基板ボックス５０が開封された場合に、カシメ部材１１０、１１１、１１２、１１３に磁気共鳴物質が存在しないという目視では確認できない痕跡が残ることとなる。
【００７２】
（３）  カシメ部材１１０、１１１、１１２、１１３の表面に存在する磁気共鳴物質を、遊技機の機種や製造番号や工場からの出荷の時期などの別に従って、固有の周波数を異にする物質としてもよい。すなわち、遊技機の機種や製造番号や工場からの出荷の時期が異なれば、カシメ部材１１０、１１１、１１２、１１３の表面に存在する磁気共鳴物質の種類が異なることとしてもよい。
【００７３】
このようにすれば、すでに廃棄されている遊技機から採取された磁気共鳴物質の粉末を表面に有するカシメ部材１１０、１１１、１１２、１１３を基板ボックス５０に用いた場合でも、遊技機の機種や製造番号や工場からの出荷の時期などの別に従って、磁気共鳴物質の固有の周波数を異にしているので、店舗で使用している遊技機に用いられているカシメ部材１１０、１１１、１１２、１１３の固有の周波数とすでに廃棄されている遊技機に用いられているカシメ部材１１０、１１１、１１２、１１３とでは固有の周波数を異にさせることができ、そのすでに廃棄されている遊技機に用いられているカシメ部材１１０、１１１、１１２、１１３を用いて基板ボックス５０を再封止しても、このカシメ部材１１０、１１１、１１２、１１３からは、正規のカシメ部材１１０、１１１、１１２、１１３の表面に存在する磁気共鳴物質が示す磁気共鳴現象が得られず、不正な開封を的確に検知することができる。
【００７４】
（４）  本実施の形態では、基板ボックス５０を封止するに際して、カシメ部材１１０、１１１、１１２、１１３が、第２の孔５７ａ、５７ｂ、５７ｃ、５７ｄにそれぞれ配置されたが、これに限らず、カシメ部材１１０、１１１、１１２、１１３は、第１の孔５４ａ、５４ｂ、５４ｃ、５４ｄにそれぞれ配置されてもよい。この場合、ワンウェイネジ１２０、１２１、１２２、１２３は、第２の孔５７ａ、５７ｂ、５７ｃ、５７ｄから第１の孔５４ａ、５４ｂ、５４ｃ、５４ｄに向けてそれぞれ挿入されて、カシメ部材１１０、１１１、１１２、１１３を変形させることにより、第１の封止部５３と第２の封止部５６とをかしめて、ボックス本体５１とカバー体５２とを締結する。また、キャップ１４０、１４１、１４２、１４３は、第２の孔５７ａ、５７ｂ、５７ｃ、５７ｄに取り外し不能にそれぞれ挿入されて、第２の孔５７ａ、５７ｂ、５７ｃ、５７ｄからワンウェイネジ１２０、１２１、１２２、１２３を取り出せないように第２の孔５７ａ、５７ｂ、５７ｃ、５７ｄを封鎖する。
【００７５】
（５）  本実施の形態では、基板ボックス５０を封止するに際して、カシメ部材１１０、１１１、１１２、１１３を配置する第２の封止部５６における部位を、第２の封止部５６を貫通する孔である第２の孔５７ａ、５７ｂ、５７ｃ、５７ｄとしたが、これに限らず、カシメ部材１１０、１１１、１１２、１１３を配置する第２の封止部５６における部位は、第２の封止部５６を貫通しない穴である第２の穴としてもよい。
【００７６】
（６）  本実施の形態では、第１の封止部５３が第１の封止部５３を貫通する第１の孔５４ａ、５４ｂ、５４ｃ、５４ｄを有し、第２の封止部５６が第２の封止部５６を貫通する第１の孔５７ａ、５７ｂ、５７ｃ、５７ｄを有し、カシメ部材１１０、１１１、１１２、１１３が第２の封止部５６が有する第２の孔５７ａ、５７ｂ、５７ｃ、５７ｄにそれぞれ配置されたが、これに限らず、第１の封止部５３が第１の封止部５３を貫通しない４つの第１の穴を有し、第２の封止部５６が第２の封止部５６を貫通する第２の孔を有し、カシメ部材１１０、１１１、１１２、１１３が第１の封止部５３が有する第１の穴にそれぞれ配置されることとしてもよい。この場合、ワンウェイネジ１２０、１２１、１２２、１２３は、第２の孔５７ａ、５７ｂ、５７ｃ、５７ｄから４つの第１の穴に向けてそれぞれ挿入されて、カシメ部材１１０、１１１、１１２、１１３を変形させることにより、第１の封止部５３と第２の封止部５６とをかしめて、ボックス本体５１とカバー体５２とを締結する。また、キャップ１４０、１４１、１４２、１４３は、第２の孔５７ａ、５７ｂ、５７ｃ、５７ｄに取り外し不能にそれぞれ挿入されて、第２の孔５７ａ、５７ｂ、５７ｃ、５７ｄからワンウェイネジ１２０、１２１、１２２、１２３を取り出せないように第２の孔５７ａ、５７ｂ、５７ｃ、５７ｄを封鎖する。
【００７７】
（７）  本実施の形態では、回路基板９０をボックス本体５１に固定したが、これに限らず、回路基板９０は、カバー体５２に固定してもよい。
【００７８】
（８）  本実施の形態では、締結具の一例としてワンウェイネジ１２０、１２１、１２２、１２３を用いたが、これに限らず、シャービスなどの、ねじ込み方向の反対方向に回転させることが困難な他の部材も、締結具として用いることができる。
【００７９】
（９）  本実施形態では、パチンコ機を例に挙げて説明をしたが、これに限らず、スロットマシン、アレンジボール機、雀球機などの遊技機に適用してもよい。
【図面の簡単な説明】
【００８０】
【図１】本発明の一実施形態におけるパチンコ機の正面図である。
【図２】本発明の一実施形態におけるパチンコ機の前面枠および本体枠を開放した状態を示す斜視図である。
【図３】本発明の一実施形態における遊技盤の分解斜視図である。
【図４】本発明の一実施形態におけるパチンコ機の背面図である。
【図５】本発明の一実施形態における基板ボックスの斜視図である。
【図６】本発明の一実施形態における基板ボックスの分解斜視図である。
【図７】本発明の一実施形態における基板ボックスの平面図である。
【図８】図５におけるＡ−Ａのかしめ前の断面図である。
【図９】図５におけるＡ−Ａのかしめ後の断面図である。
【図１０】図５におけるＡ−Ａのかしめ後の断面図（接着剤を用いた場合）である。
【符号の説明】
【００８１】
１  パチンコ機
２  外枠
３  本体枠
４  遊技盤
４ａ  遊技板
５  前面枠
６  下受板
７  ヒンジ機構
８  前枠体
８ａ  下盤部
９  遊技盤装着枠
１０  機構装着枠
１１  案内レール
１２  遊技領域
１３  装着板
１４  低音用スピーカ
１５  発射レール
１６  下前面部材
１７  下皿
１８  発射ハンドル
１９  施錠装置
２０  閉止具
２１  枠施錠ラッチ
２２  閉止具
２３  扉施錠ラッチ
２４  シリンダー錠
２５  ヒンジ機構
２６  扉本体フレーム
２７  サイド装飾装置
２８  上皿
２９  音響電飾装置
３０  開口窓
３１  窓枠
３２  ガラス板
３３  サイド装飾体
３４  レンズ
３５  透明カバー体
３６  スピーカ
３７  スピーカカバー
４０  フロントユニット
４０ａ  ボス
４２  リアユニット
４２ｂ  ボス孔
４４  貫通孔
５０  主制御基板ボックス（基板ボックス）
５１  ボックス本体
５２  カバー体
５３  第１の封止部
５４ａ  第１の孔
５４ｂ  第１の孔
５４ｃ  第１の孔
５４ｄ  第１の孔
５５  係止溝
５６  第２の封止部
５７ａ  第２の孔
５７ｂ  第２の孔
５７ｃ  第２の孔
５７ｄ  第２の孔
５８  底面
５９  三角形状の突起
６０  副制御基板ボックス
７０  払出制御基板ボックス
８０  裏カバー
９０  回路基板
１００  電子部品
１１０  カシメ部材
１１０ａ  筒部
１１０ｂ  フランジ部
１１０ｃ  スリット
１１１  カシメ部材
１１２  カシメ部材
１１３  カシメ部材
１２０  ワンウェイネジ
１２１  ワンウェイネジ
１２２  ワンウェイネジ
１２３  ワンウェイネジ
１３０  接着剤
１４０  キャップ
１４０ａ  本体部分
１４０ｂ  一対の係止爪
１４１  キャップ
１４２  キャップ
１４３  キャップ
Ｈ  第１の孔の内径
Ｄ  一対の係止爪における一方の先端と他方の先端との間隔
ＣＬ１  切断線
ＣＬ２  切断線
【図１】
2008099933.tif 000003
【図２】
2008099933.tif 000004
【図３】
2008099933.tif 000005
【図４】
2008099933.tif 000006
【図５】
2008099933.tif 000007
【図６】
2008099933.tif 000008
【図７】
2008099933.tif 000009
【図８】
2008099933.tif 000010
【図９】
2008099933.tif 000011
【図１０】
2008099933.tif 000012